(57)【要約】【課題】本発明は、簡易な構成でかつユーザに煩雑な作業を強いることなく、所定のタイミングで映像及び音声を記録する。【解決手段】本発明は、内部にカメラ５及びマイク６が設けられており、カメラにより撮像されたフレーム画像データＶ１から動き又は顔を検出した場合、カメラによって撮像されたフレーム画像データＶ１に対応する映像データＶＤ１１、及び上記マイクによって集音された音声データＡＶ１に対応する音声データＡＤ１１を記録することにより、簡易な構成でかつユーザに煩雑な作業を強いることなく、自動的に映像データＶＤ１１及び音声データＡＤ１１を記録することができる。【選択図】図２
2010074551.tif 000002
【特許請求の範囲】
【請求項１】
テレビジョン放送信号に基づく映像を表示部に表示すると共に、上記テレビジョン放送信号に基づく音声をスピーカから出力するテレビ部と、
周囲の映像を撮像するよう自身内部に設けられたカメラと、
周囲の音声を集音するよう自身内部に設けられたマイクと、
上記カメラにより撮像された映像に基づいて動きを検出する検出部と、
上記検出部により上記動きが検出されると、上記カメラによって撮像された映像及び上記マイクによって集音された音声を記録する記録部と
を具えるテレビジョン受像機。
【請求項２】
上記検出部は、
上記テレビ部がスタンバイ状態のとき、上記カメラにより撮像された映像に基づいて動きを検出する
請求項１に記載のテレビジョン受像機。
【請求項３】
上記テレビジョン受像機は、
上記テレビ部がオンになったとき、上記記録部に記録された映像に基づく画像を上記表示部に表示する表示制御部と
を具える請求項１に記載のテレビジョン受像機。
【請求項４】
上記記録部は、
上記テレビジョン受像機に対して脱着自在である
請求項１に記載のテレビジョン受像機。
【請求項５】
上記テレビジョン受像機は、
上記カメラ、上記マイク、上記検出部及び上記記録部に対して電源電力を供給するバッテリ部と
を具える請求項１に記載のテレビジョン受像機。
【請求項６】
周囲の映像を撮像するよう自身内部に設けられたカメラにより撮像された映像に基づいて動きを検出する検出ステップと、
上記検出部により上記動きが検出されると、上記カメラによって撮像された映像、及び周囲の音声を集音するよう自身内部に設けられたマイクによって集音された音声を記憶部に記録する記録ステップと
を具えることを特徴とする記録方法。
【請求項７】
テレビジョン放送信号に基づく映像を表示部に表示すると共に、上記テレビジョン放送信号に基づく音声をスピーカから出力するテレビ部と、
周囲の映像を撮像するよう自身内部に設けられたカメラと、
周囲の音声を集音するよう自身内部に設けられたマイクと、
上記カメラにより撮像された映像に基づいて被写体の顔を検出する検出部と、
上記検出部により上記被写体の顔が検出されると、上記カメラによって撮像された映像及び上記マイクによって集音された音声を記録する記録部と
を具えるテレビジョン受像機。
【請求項８】
上記検出部は、
上記テレビ部がスタンバイ状態のとき、上記カメラにより撮像された映像に基づいて動きを検出する
請求項７に記載のテレビジョン受像機。
【請求項９】
上記テレビジョン受像機は、
上記テレビ部がオンになったとき、上記記録部に記録された映像に基づく画像を上記表示部に表示する表示制御部と
を具える請求項７に記載のテレビジョン受像機。
【請求項１０】
上記記録部は、
上記テレビジョン受像機に対して脱着自在である
請求項７に記載のテレビジョン受像機。
【請求項１１】
上記テレビジョン受像機は、
上記カメラ、上記マイク、上記検出部及び上記記録部に対して電源電力を供給するバッテリ部と
を具える請求項７に記載のテレビジョン受像機。
【請求項１２】
周囲の映像を撮像するよう自身内部に設けられたカメラにより撮像された映像に基づいて被写体の顔を検出する検出ステップと、
上記検出部により上記被写体の顔が検出されると、上記カメラによって撮像された映像、及び周囲の音声を集音するよう自身内部に設けられたマイクによって集音された音声を記憶部に記録する記録ステップと
を具えることを特徴とする記録方法。
【発明の詳細な説明】
【技術分野】
【０００１】
本発明は、テレビジョン受像機及び記録方法に関し、例えばカメラ及びマイクを内蔵したテレビジョン受像機に適用して好適なものである。
【背景技術】
【０００２】
従来、防犯装置においては、カメラ及びマイクがそれぞれ別個に設けられ、当該カメラ及びマイクが所定のケーブルを介して例えばテレビジョン受像機に接続されるようになされている。
【０００３】
このテレビジョン受像機では、カメラにより撮像された映像を当該テレビジョン受像機の表示部に表示すると共に、マイクにより集音された音声を当該テレビジョン受像機のスピーカから出力する。
【０００４】
また防犯装置のなかには、カメラ及びマイクがＶＨＦ（Very High Frequency）電波を出力する送信機に接続されており、当該カメラにより撮像された映像、及びマイクにより集音された音声を送信機によりＶＨＦ電波に重畳させ、その結果得られるＶＨＦ信号を当該送信機により放射させる。
【０００５】
そしてテレビジョン受像機は、送信機により放射されたＶＨＦ信号をアンテナを介して受信すると、当該ＶＨＦ信号に所定の処理を施すことにより得られた映像を表示部に表示すると共に、音声をスピーカから出力する（例えば、特許文献１参照）。
【特許文献１】特開平９−６２９４９号公報
【発明の開示】
【発明が解決しようとする課題】
【０００６】
ところで上述したカメラ及びマイクがケーブルを介して接続しているテレビジョン受像機では、例えば初期設定時にユーザに対してカメラ及びマイクをケーブル接続させるという煩雑な作業を強いるという問題があった。
【０００７】
またカメラにより撮像された映像及びマイクにより集音された音声をＶＨＦ信号で受信するテレビジョン受像機では、ＶＨＦ信号を放射させるための送信機をカメラ及びマイク側に設けさせなくてはならず、構成が複雑になるという問題があった。
【０００８】
本発明は以上の点を考慮してなされたもので、簡易な構成でかつユーザに煩雑な作業を強いることなく、所定のタイミングで映像及び音声を記録し得るテレビジョン受像機及び記録方法を提案しようとするものである。
【課題を解決するための手段】
【０００９】
かかる課題を解決するため本発明のテレビジョン受像機においては、テレビジョン放送信号に基づく映像を表示部に表示すると共に、テレビジョン放送信号に基づく音声をスピーカから出力するテレビ部と、周囲の映像を撮像するよう自身内部に設けられたカメラと、周囲の音声を集音するよう自身内部に設けられたマイクと、カメラにより撮像された映像に基づいて動きを検出する検出部と、検出部により動きが検出されると、カメラによって撮像された映像及びマイクによって集音された音声を記録する記録部とを設けるようにした。
【００１０】
また本発明の記録方法においては、周囲の映像を撮像するよう自身内部に設けられたカメラにより撮像された映像に基づいて動きを検出する検出ステップと、検出部により動きが検出されると、カメラによって撮像された映像、及び周囲の音声を集音するよう自身内部に設けられたマイクによって集音された音声を記憶部に記録する記録ステップとを設けるようにした。
【００１１】
これにより、自身に内蔵されているカメラにより撮像された映像から動きが検出された場合、自動的にカメラによって撮像された映像、及び自身に内蔵されているマイクによって集音された音声を記録することができる。
【００１２】
さらに本発明のテレビジョン受像機においては、テレビジョン放送信号に基づく映像を表示部に表示すると共に、テレビジョン放送信号に基づく音声をスピーカから出力するテレビ部と、周囲の映像を撮像するよう自身内部に設けられたカメラと、周囲の音声を集音するよう自身内部に設けられたマイクと、カメラにより撮像された映像に基づいて被写体の顔を検出する検出部と、検出部により被写体の顔が検出されると、カメラによって撮像された映像及びマイクによって集音された音声を記録する記録部とを設けるようにした。
【００１３】
さらに本発明の記録方法においては、周囲の映像を撮像するよう自身内部に設けられたカメラにより撮像された映像に基づいて被写体の顔を検出する検出ステップと、検出部により被写体の顔が検出されると、カメラによって撮像された映像、及び周囲の音声を集音するよう自身内部に設けられたマイクによって集音された音声を記憶部に記録する記録ステップとを設けるようにした。
【００１４】
これにより、自身に内蔵されているカメラにより撮像された映像から被写体の顔が検出された場合、自動的にカメラによって撮像された映像、及び自身に内蔵されているマイクによって集音された音声を記録することができる。
【発明の効果】
【００１５】
本発明によれば、自身に内蔵されているカメラにより撮像された映像から動きが検出された場合、自動的にカメラによって撮像された映像、及び自身に内蔵されているマイクによって集音された音声を記録することができ、かくして簡易な構成でかつユーザに煩雑な作業を強いることなく、所定のタイミングで映像及び音声を記録し得るテレビジョン受像機及び記録方法を提案しようとするものである。
【００１６】
また本発明によれば、自身に内蔵されているカメラにより撮像された映像から被写体の顔が検出された場合、自動的にカメラによって撮像された映像、及び自身に内蔵されているマイクによって集音された音声を記録することができ、かくして簡易な構成でかつユーザに煩雑な作業を強いることなく、所定のタイミングで映像及び音声を記録し得るテレビジョン受像機及び記録方法を提案しようとするものである。
【発明を実施するための最良の形態】
【００１７】
以下に、図面について、本発明の一実施の形態を詳述する。
【００１８】
（１）第１の実施の形態
（１−１）テレビジョン受像機の全体構成
図１に示すように、本発明の第１の実施の形態におけるテレビジョン受像機１は、映像を表示するためのＬＣＤ（Liquid Crystal Display）２及び当該ＬＣＤ２の左右にスピーカ３が設けられている。
【００１９】
またテレビジョン受像機１は、ＬＣＤ２の右下にリモコン受光部４が設けられており、図示しないリモートコントローラ（以下、これをリモコンとも呼ぶ）から出射された赤外線照射光を当該リモコン受光部４を介して受光するようになされている。
【００２０】
かかる構成に加えてテレビジョン受像機１は、ＬＣＤ２の上方にカメラ５及びマイク６が設けられており、当該カメラ５によって撮像された映像をＬＣＤ２に表示すると共に、当該マイク６によって集音された音声をスピーカ３から出力し得るようになされている。
【００２１】
（１−２）テレビジョン受像機の回路構成
図２に示すように、ＣＰＵ(Central Processing Unit)構成でなる制御部７がテレビユニット１０及び監視ユニット２０等を含めた全体を統括制御するようになされている。
【００２２】
これによりテレビジョン受像機１の制御部７は、テレビユニット１０のディジタルテレビジョン放送受信部３０により通常のテレビジョン放送の受信表示処理を実行する。また制御部７は、監視ユニット２０によりカメラ５で映像を撮像すると共にマイク６で音声を集音する記録処理、及び監視ユニット２０により当該映像及び音声を再生する再生処理等を実行するようになされている。
【００２３】
テレビジョン受像機１では、ディジタルテレビジョン放送受信部３０によるテレビジョン放送の受信表示処理時、アンテナ３１を介して受信した地上ディジタル放送の放送波Ｓ１をＲＦ(Radio Frequency)受信部３２によって所定レベルに増幅することにより放送信号Ｓ２に変換し、これを復調部３３へ送出する。
【００２４】
復調部３３は、制御部７からの復調制御信号に従って放送信号Ｓ２を所定の復調方式に従って復調することによりディジタル多重化データＳ３を復元し、これを多重分離部３４へ送出する。
【００２５】
このとき制御部７は、リモコンから送信された放送局の選局先を示すリモコン信号をリモコン受光部４を介して受信すると、多重分離部３４に対して選局先の映像データ及び音声データ等をディジタル多重化データＳ３から抽出するための指示を出力する。
【００２６】
これを受けて多重分離部３４は、ディジタル多重化データＳ３を映像データＶＤ１、音声データＡＤ１、チャンネルデータＣＤ１及びＥＰＧ(Electric Program Guide)データＥＤ１に分離する。
【００２７】
そして多重分離部３４は、映像データＶＤ１をテレビ映像デコード部３５へ送出し、音声データＡＤ１をテレビ音声デコード部３６へ送出し、チャンネルデータＣＤ１及びＥＰＧデータＥＤ１を制御部７へ送出する。
【００２８】
テレビ映像デコード部３５は、映像データＶＤ１を所定の方式に従って復号し、その結果得られる映像信号ＶＤ２を映像スイッチ１１へ送出する。
【００２９】
映像スイッチ１１は、ディジタルテレビジョン放送受信部３０によるテレビジョン放送の受信表示処理時、テレビ映像デコード部３５から供給された映像信号ＶＤ２を映像混合器１２へ送出するようになされている。
【００３０】
また制御部７は、多重分離部３４から供給されたチャンネルデータＣＤ１及びＥＰＧデータＥＤ１に基づいてテレビ番組表、放送局名、チャンネル番号等の地上ディジタル放送に関連した関連情報を取得する。
【００３１】
そして制御部７は、地上ディジタル放送に関連した関連情報等を基に、映像信号ＶＤ２に対して重畳すべき表示イメージデータＩＭ１を生成し、当該表示イメージデータＩＭ１を映像信号ＶＤ２に重畳したときの透過度の割合情報αと共にＯＳＤ(On Screen Display)表示生成部１３へ送出する。
【００３２】
ＯＳＤ表示生成部１３は、制御部７から供給された表示イメージデータＩＭ１を割合情報αの透過度に従って加工し、所定の透過度でなる表示イメージデータＩＭ２を映像混合器１２へ送出する。
【００３３】
映像混合器１２は、映像スイッチ１１から供給される映像信号ＶＤ２に対して、ＯＳＤ表示生成部１３から供給される表示イメージデータＩＭ２を混合することにより重畳し、その結果得られる混合映像信号ＶＤ３をＬＣＤ２に出力することにより番組映像として表示するようになされている。
【００３４】
一方、テレビ音声デコード部３６は、多重分離部３４から供給された選局先の音声データＡＤ１を所定の方式で復号し、その結果得られる音声信号ＡＤ２を音声スイッチ１４へ送出する。
【００３５】
音声スイッチ１４は、ディジタルテレビジョン放送受信部３０によるテレビジョン放送の受信表示処理時、テレビ音声デコード部３６から供給される音声信号ＡＤ２をスピーカ３から番組音声として出力するようになされている。
【００３６】
ところで監視ユニット２０は、記録部４０及び再生部５０によって構成されており、当該記録部４０により映像や音声を記録し、その映像や音声を再生部５０により再生するようになされている。
【００３７】
記録部４０のカメラ５は、例えば横幅１９２０画素及び縦幅１０８０画素の解像度により１秒間当たり３０フレームで撮像するようになされており、その結果連続して得られるフレーム画像データＶ１を順次、動き検出部４２及び映像エンコード部４４へ送出する。
【００３８】
動き検出部４２は、カメラ５から連続して供給されるフレーム画像データＶ１のうち、例えば互いに前後するフレーム画像データＶ１同士のフレーム間差分を求め、その結果得られたフレーム間差分値と所定の閾値とを比較することにより、フレーム間の動きを検出する。そして動き検出部４２は、フレーム間の動きを検出した場合、動き検出信号ＭＳを判断部４３へ送出する。
【００３９】
判断部４３は、動き検出部４２から供給される動き検出信号ＭＳに基づいて、カメラ５により撮像された映像、及びマイク６により集音された音声の記録開始のタイミングを示す開始トリガ信号ＴＧ１及び当該映像及び音声の記録終了のタイミングを示す終了トリガ信号ＴＧ２を記録制御部４１へ送出する。
【００４０】
一方、映像エンコード部４４は、カメラ５から連続して供給されるフレーム画像データＶ１をＭＰＥＧ２（Moving Picture Experts Group phase 2）方式で例えば横幅６４０画素及び縦幅４８０画素の解像度に圧縮符号化し、その結果得られる映像データＶＤ１１を記録制御部４１へ送出する。
【００４１】
ところでマイク６は、周囲の音声を集音することにより得られた音声信号Ａ１を音声エンコード部４５へ送出する。
【００４２】
音声エンコード部４５は、マイク６から供給された音声信号Ａ１を例えば４８［ｋＨｚ］のサンプリングレートでかつ１２８［ｋｂｐｓ］のビットレートでなるＭＰ２（ＭＰＥＧ１  Ｌａｙｅｒ２）方式に圧縮符号化し、その結果得られる音声データＡＤ１１を記録制御部４１へ送出する。
【００４３】
時計部４６は、例えば初期設定時にユーザによりリモコンを介して入力された時刻を基に時間をカウントしており、現在の時刻を示す時刻データＴＳを記録制御部４１へ送出する。
【００４４】
記録制御部４１は、判断部４３から開始トリガ信号ＴＧ１を受信すると、映像エンコード部４４から供給される映像データＶＤ１１と、音声エンコード部４５から供給される音声データＡＤ１１とを例えば不揮発性メモリでなる記憶部４７へ記録し始める。
【００４５】
そして記録制御部４１は、判断部４３から終了トリガ信号ＴＧ２を受信すると、記憶部４７に対する映像データＶＤ１１及び音声データＡＤ１１の記録を終了する。
【００４６】
このとき記録制御部４１は、映像データＶＤ１１及び音声データＡＤ１１を映像音声ファイルＡＶとして記憶部４７へ記録する。
【００４７】
また記録制御部４１は、映像エンコード部４４から圧縮符号化前のフレーム画像データＶ１を取得し、当該フレーム画像データＶ１を静止画像データＰＤとして映像音声ファイルＡＶに関連付けて記憶部４７に記録し得るようになされている。
【００４８】
さらに記録制御部４１は、開始トリガ信号ＴＧ１を受信した時点の時刻が示された時刻データ（以下、これを開始時刻データとも呼ぶ）ＴＳ１、及び終了トリガ信号ＴＧ２を受信した時点の時刻が示された時刻データ（以下、これを終了時刻データとも呼ぶ）ＴＳ２を時計部４６から取得するようになされている。
【００４９】
そして記録制御部４１は、時計部４６から取得した開始時刻データＴＳ１及び終了時刻データＴＳ２を映像音声ファイルＡＶに関連付けて記憶部４７へ記録する。
【００５０】
ここで記録制御部４１は、音声データＡＤ１１及び時刻データＴＳ等を一時的に記憶しておくためのバッファメモリを有している。このため、記録制御部４１は、例えば判断部４３から開始トリガ信号ＴＧ１を受信すると、当該開始トリガ信号ＴＧ１を受信する例えば１秒前の映像データＶＤ１１及び音声データＡＤ１１から記憶部４７に対して記録し得るようになされている。
【００５１】
再生部５０の再生制御部５１は、例えばユーザのリモコン操作に応じて記憶部４７に記録された映像音声ファイルＡＶを読み出すと、当該映像音声ファイルＡＶの映像データＶＤ１１を記録映像デコード部５２へ送出すると共に、映像音声ファイルＡＶの音声データＡＤ１１を記録音声デコード部５３へ送出する。
【００５２】
記録映像デコード部５２は、再生制御部５１から供給される映像データＶＤ１１を所定の方式に従って復号し、その結果得られる映像信号ＶＤ１２を映像スイッチ１１へ送出する。
【００５３】
映像スイッチ１１は、再生処理時、記録映像デコード部５２から供給された映像信号ＶＤ１２を映像混合器１２へ送出するようになされており、当該映像混合器１２を介して映像信号ＶＤ１２を記録映像としてＬＣＤ２に表示するようになされている。
【００５４】
一方、記録音声デコード部５３は、再生制御部５１から供給される音声データＡＤ１１を所定の方式で復号し、その結果得られる音声信号ＡＤ１２を音声スイッチ１４へ送出する。
【００５５】
音声スイッチ１４は、再生処理時、記録音声デコード部５３から供給される音声信号ＡＤ１２をスピーカ３から記録音声として出力するようになされている。
【００５６】
ところで、テレビジョン受像機１は、図３に示すように、ＡＣ（Alternating Current）プラグ６１及びＡＣ−ＤＣ（Direct Current）変換部６２に加えて、充電器６３、バッテリ６４及び電源スイッチ６５が設けられている。
【００５７】
ＡＣ−ＤＣ変換部６２は、ＡＣプラグ６１を介して供給される交流電流を直流電流に変換することによりテレビユニット１０、充電器６３及び電源スイッチ６５へ電源電力を供給するようになされている。従ってテレビユニット１０は、ＡＣ−ＤＣ変換部６２から供給される電源電力により動作する。
【００５８】
充電器６３は、ＡＣ−ＤＣ変換部６２から供給された電源電力を基にバッテリ６４を充電する。
【００５９】
電源スイッチ６５は、ＡＣプラグ６１を介してＡＣ−ＤＣ変換部６２から電源電力が供給されているとき、当該電源電力をリモコン受光部４、制御部７及び記録部４０へ供給する。
【００６０】
この電源スイッチ６５は、例えば停電やＡＣプラグ６１がコンセントから外された等によりＡＣプラグ６１を介してＡＣ−ＤＣ変換部６２から電源電力を供給できないとき、バッテリ６４に充電された電気をリモコン受光部４、制御部７及び記録部４０へ供給するようになされている。
【００６１】
従ってリモコン受光部４、制御部７及び記録部４０は、停電やＡＣプラグ６１がコンセントから外された時においても、バッテリ６４からの電力供給を受けて動作し得るようになされている。
【００６２】
（１−３）動き検出を用いた記録処理
次に、制御部７による制御に従って主に記録部４０により実行される動き検出を用いた記録処理について詳しく説明する。制御部７は、例えばリモコンにおける電源をスタンバイ状態にするための電源ボタンが押下操作されたことにより供給されるリモコン信号をリモコン受光部４を介して受信すると、動き検出を用いた記録処理を実行する。
【００６３】
制御部７は、撮像することにより得られるフレーム画像データＶ１をカメラ５によって取得させ、当該フレーム画像データＶ１を動き検出部４２へ順に供給させる。
【００６４】
動き検出部４２は、フレーム画像データＶ１を連続して取得すると、当該連続して取得した多数のフレーム画像データＶ１のうち、互いに前後するフレーム画像データＶ１同士のフレーム間差分を求める。
【００６５】
具体的には、図４（Ａ）に示すように、動き検出部４２は、カメラ５からｉ−１及びｉ番目のフレーム画像データＶ１ｉ−１及びＶ１ｉを連続して取得すると、今回取得した画像Ｇ１でなる当該フレーム画像データＶ１ｉと、前回取得した画像Ｇ１でなるフレーム画像データＶ１ｉ−１とのフレーム間差分を求める。
【００６６】
ここでフレーム画像データＶ１ｉ−１及びＶ１ｉは、同一の画像Ｇ１でなる。そのため、動き検出部４２は、フレーム画像データＶ１ｉ−１及びＶ１ｉのフレーム間差分を求めることによりフレーム間の動きを検出することはない。
【００６７】
次に動き検出部４２は、ｉ＋１番目のフレーム画像データＶ１ｉ＋１を取得すると、今回取得した画像Ｇ２でなるフレーム画像データＶ１ｉ＋１と、前回取得した画像Ｇ１でなるフレーム画像データＶ１ｉとのフレーム間差分を求める。
【００６８】
ここでフレーム画像データＶ１ｉ＋１及びＶ１ｉは、異なる画像Ｇ２及びＧ１でなり、当該画像Ｇ２及びＧ１に映し出されたドアの被写体像ＤＲが移動している。そこで動き検出部４２は、フレーム画像データＶ１ｉ＋１とフレーム画像データＶ１ｉとのフレーム間差分を求めることによりフレーム間の動きを検出し、動き検出信号ＭＳを判断部４３へ送出する。
【００６９】
続いて動き検出部４２は、ｉ＋２番目のフレーム画像データＶ１ｉ＋２を取得すると、今回取得した画像Ｇ３でなるフレーム画像データＶ１ｉ＋２と、前回取得した画像Ｇ２でなるフレーム画像データＶ１ｉ＋１とのフレーム間差分を求め、再びフレーム間の動きを検出し、動き検出信号ＭＳを判断部４３へ送出する。
【００７０】
さらに動き検出部４２は、ｉ＋３、・・・、ｊ−１及びｊ番目のフレーム画像データＶ１ｉ＋３、・・・、Ｖ１ｊ−１及びＶ１ｊを順に取得すると、取得する度にそれぞれ互いに前後するフレーム画像データＶ１ｉ＋３、・・・、Ｖ１ｊ−１及びＶ１ｊのフレーム間差分をそれぞれ求めてフレーム間の動きを検出し、動き検出信号ＭＳを判断部４３へ送出する。因みに、フレーム画像データＶ１ｊは画像Ｇ４でなり、フレーム画像データＶ１ｉからフレーム画像データＶ１ｊまでは、画像Ｇ３から画像Ｇ４へと連続的に変化しているものとする。
【００７１】
続いて、動き検出部４２は、ｊ＋１、・・・、ｋ−１及びｋ番目のフレーム画像データＶ１ｊ＋１、・・・、Ｖ１ｋ−１及びＶ１ｋを順に取得すると、取得する度にそれぞれ互いに前後するフレーム画像データＶ１ｊ＋１、・・・、Ｖ１ｋ−１及びＶ１ｋのフレーム間差分をそれぞれ求めてフレーム間の動きを検出し、動き検出信号ＭＳを判断部４３へ送出する。
【００７２】
また動き検出部４２は、ｋ＋１、・・・、ｌ−１及びｌ番目のフレーム画像データＶ１ｋ＋１、・・・、Ｖ１ｌ−１及びＶ１ｌを順に取得すると、取得する度にそれぞれ互いに前後するフレーム画像データＶ１ｋ＋１、・・・、Ｖ１ｌ−１及びＶ１ｌのフレーム間差分をそれぞれ求めてフレーム間の動きを検出し、動き検出信号ＭＳを判断部４３へ送出する。
【００７３】
さらに動き検出部４２は、ｌ＋１、・・・、ｍ−１及びｍ番目のフレーム画像データＶ１ｌ＋１、・・・、Ｖ１ｍ−１及びＶ１ｍを順に取得すると、取得する度にそれぞれ互いに前後するフレーム画像データＶ１ｌ＋１、・・・、Ｖ１ｍ−１及びＶ１ｍのフレーム間差分をそれぞれ求めてフレーム間の動きを検出し、動き検出信号ＭＳを判断部４３へ送出する。
【００７４】
さらに動き検出部４２は、ｍ＋１、・・・、ｎ−１、ｎ及びｎ＋１番目のフレーム画像データＶ１ｍ＋１、・・・、Ｖ１ｎ−１、Ｖ１ｎ及びＶ１ｎ＋１を順に取得すると、取得する度にそれぞれ互いに前後するフレーム画像データＶ１ｍ＋１、・・・、Ｖ１ｎ−１、Ｖ１ｎ及びＶ１ｎ＋１のフレーム間差分をそれぞれ求めてフレーム間の動きを検出し、動き検出信号ＭＳを判断部４３へ送出する。
【００７５】
因みに、フレーム画像データＶ１ｊ、Ｖ１ｋ、Ｖ１ｌ、Ｖ１ｍ、Ｖ１ｎ及びＶ１ｎ＋１は、それぞれ画像Ｇ４、Ｇ５、Ｇ６、Ｇ７、Ｇ８及びＧ９でなる。そしてフレーム画像データＶ１ｉからフレーム画像データＶ１ｎ＋１までは、画像Ｇ１から画像Ｇ９へと連続的に変化しているものとする。
【００７６】
続いて動き検出部４２は、カメラ５からｎ＋２、・・・、ｎ＋９１、・・・番目の画像Ｇ９でなるフレーム画像データＶ１ｎ＋２、・・・、Ｖ１ｎ＋９１、・・・を順に取得すると、取得する度にそれぞれ互いに前後するフレーム画像データＶ１ｎ＋２、・・・、Ｖ１ｎ＋９１、・・・のフレーム間差分をそれぞれ求める。
【００７７】
このとき動き検出部４２は、フレーム画像データＶ１ｎ＋２、・・・、Ｖ１ｎ＋９１、・・・が同一の画像Ｇ９でなるため、フレーム画像データＶ１ｎ＋２、・・・、Ｖ１ｎ＋９１、・・・における前後のフレーム間差分を求めることにより、フレーム間の動きを検出することはなく、従って動き検出信号ＭＳを判断部４３へ送出することはない。
【００７８】
判断部４３は、図４（Ｂ）に示すように、動き検出部４２から例えば所定時間内に２回連続して動き検出信号ＭＳを受信すると、カメラ５から連続して取得しているフレーム画像データＶ１に動きがあったと判断して、開始トリガ信号ＴＧ１を記録制御部４１へ送出する。
【００７９】
そして判断部４３は、開始トリガ信号ＴＧ１を記録制御部４１へ送出した後、動き検出部４２から動き検出信号ＭＳが供給されなかった場合、カメラ５により取得したフレーム画像データＶ１に動きがないと判断する。
【００８０】
その後、判断部４３は、動き検出部４２から例えば９０フレーム分の時間（この場合、３秒間）、動き検出信号ＭＳが供給されなかった場合、カメラ５により取得したフレーム画像データＶ１に動きがなくなったと判断して、終了トリガ信号ＴＧ２を記録制御部４１へ送出する。
【００８１】
記録制御部４１は、図４（Ｃ）に示すように、判断部４３から開始トリガ信号ＴＧ１を受信したタイミングで、映像エンコード部４４から供給される映像データＶＤ１１を記憶部４７へ記録し始める。
【００８２】
そして記録制御部４１は、判断部４３から終了トリガ信号ＴＧ２を受信したタイミングで、記憶部４７に対する映像エンコード部４４から供給される映像データＶＤ１１の記録を終了する。
【００８３】
従って記録制御部４１は、画像Ｇ３でなるフレーム画像データＶ１ｉ＋２から画像Ｇ９でなるフレーム画像データＶ１ｎ＋９１までが映像エンコード部４４により圧縮符号化された映像データＶＤ１１を記憶部４７に記録することとなる。
【００８４】
また記録制御部４１は、図４（Ｄ）に示すように、例えば映像エンコード部４４から所定間隔ごとの圧縮符号化前のフレーム画像データＶ１（Ｖ１ｉ＋２、Ｖ１ｊ、Ｖ１ｋ、Ｖ１ｌ、Ｖ１ｍ及びＶ１ｎ）を取得する。そして記録制御部４１は、取得したフレーム画像データＶ１（Ｖ１ｉ＋２、Ｖ１ｊ、Ｖ１ｋ、Ｖ１ｌ、Ｖ１ｍ及びＶ１ｎ）を静止画像データＰＤ（ＰＤｉ＋２、ＰＤｊ、ＰＤｋ、ＰＤｌ、ＰＤｍ及びＰＤｎ）として記憶部４７に記録する。
【００８５】
さらに記録制御部４１は、図４（Ｅ）に示すように、判断部４３から開始トリガ信号ＴＧ１を受信すると、自身のバッファメモリに一時的に記憶してあった当該開始トリガ信号ＴＧ１を受信する１秒前の音声データＡＤ１１から記憶部４７に記録し始める。
【００８６】
そして記録制御部４１は、判断部４３から終了トリガ信号ＴＧ２を受信すると、当該開始トリガ信号ＴＧ２を受信してから１秒後までの音声データＡＤ１１を記憶部４７に対して記録し、当該音声データＡＤ１１の記録を終了する。
【００８７】
さらに記録制御部４１は、開始トリガ信号ＴＧ１を受信したタイミングで開始時刻データＴＳ１を時計部４６から取得し、終了トリガ信号ＴＧ２を受信したタイミングで終了時刻データＴＳ２を時計部４６から取得し、開始時刻データＴＳ１及び終了時刻データＴＳ２を記憶部４７へ記録する。
【００８８】
このとき記録制御部４１は、映像データＶＤ１１と音声データＡＤ１１とを１つの映像音声ファイルＡＶとして記憶部４７に記録し、静止画像データＰＤ、開始時刻データＴＳ１及び終了時刻データＴＳ２を当該映像音声ファイルＡＶに関連付ける。
【００８９】
（１−４）動き検出を用いた記録処理手順
次に、動き検出をトリガとして、カメラ５により撮像された映像及びマイク６により集音された音声を記憶部４７に記録する際の動き検出を用いた記録処理手順について図５のシーケンスチャートを用いて詳しく説明する。
【００９０】
すなわち動き検出部４２は、ステップＳＰ１において、カメラ５からフレーム画像データＶ１を取得すると、ステップＳＰ２へ移り、今回及び前回取得したフレーム画像データＶ１のフレーム間差分を求め、次のステップＳＰ３へ移る。
【００９１】
因みに動き検出部４２は、動き検出を用いた記録処理が実行されて始めてフレーム画像データＶ１を取得したとき、フレーム間差分を求めることなくステップＳＰ３へ移る。
【００９２】
ステップＳＰ３において動き検出部４２は、ステップＳＰ２においてフレーム間差分を求めた結果、フレーム間の動きを検出したか否かを判断し、肯定結果が得られると、このことはフレーム間の動きを検出したことを表しており、次のステップＳＰ４へ移る。
【００９３】
ステップＳＰ４において動き検出部４２は、判断部４３へ動き検出信号ＭＳを送信し、次のステップＳＰ５へ移る。
【００９４】
これに対してステップＳＰ３において否定結果が得られると、このことはフレーム間差分を求めた結果、フレーム間の動きを検出していないことを表しており、このとき動き検出部４２は、ステップＳＰ５へ移る。
【００９５】
ステップＳＰ５において動き検出部４２は、次のフレーム画像データＶ１がカメラ５から供給されたか否かを判断し、肯定結果が得られると、ステップＳＰ１へ戻るのに対し、否定結果が得られると、次のステップＳＰ６へ移って処理を終了する。
【００９６】
このように動き検出部４２は、カメラ５からフレーム画像データＶ１を取得する度にステップＳＰ１からステップＳＰ５までを繰り返し行うようになされている。
【００９７】
一方、判断部４３は、ステップＳＰ１１において、動き検出部４２から動き検出信号ＭＳを受信し、次のステップＳＰ１２へ移る。ここで判断部４３は、動き検出を用いた記録処理が実行されている間、動き検出部４２から動き検出信号ＭＳが送信される度に、常に動き検出信号ＭＳを受信するようになされている。
【００９８】
ステップＳＰ１２において判断部４３は、所定時間内に２回連続して動き検出信号ＭＳが動き検出部４２から供給されたか否かを判断し、否定結果が得られると、再度ステップＳＰ１２へ戻って所定時間内に２回連続して動き検出信号ＭＳを受信するまで待ち受ける。
【００９９】
これに対してステップＳＰ１２において肯定結果が得られると、このことは、所定時間内に２回連続して動き検出信号ＭＳが動き検出部４２から供給されたことを表しており、このとき判断部４３は、次のステップＳＰ１３へ移る。
【０１００】
ステップＳＰ１３において判断部４３は、記録制御部４１へ開始トリガ信号ＴＧ１を送信する。
【０１０１】
記録制御部４１は、判断部４３から開始トリガ信号ＴＧ１を受信するとステップＳＰ２１へ移り、カメラ５により撮像されたフレーム画像データＶ１を映像エンコード部４４を介して映像データＶＤ１１及び静止画像データＰＤとして取得し、当該映像データＶＤ１１及び静止画像データＰＤを記憶部４７へ記録し始める。
【０１０２】
また記録制御部４１は、マイク６により集音された音声信号Ａ１を音声エンコード部４５を介して音声データＡＤ１１として取得しており、予め自身のバッファメモリに一時的に記憶した例えば開始トリガ信号ＴＧ１を受信する１秒前の音声データＡＤ１１から記憶部４７へ記録し始める。
【０１０３】
さらに記録制御部４１は、開始トリガ信号ＴＧ１を受信したタイミングで開始時刻データＴＳ１を時計部４６から取得し、自身のバッファメモリに一時的に記憶する。
【０１０４】
一方、判断部４３は、ステップＳＰ１３において開始トリガ信号ＴＧ１を記録制御部４１へ送信すると、ステップＳＰ１３からステップＳＰ１４へ移る。ステップＳＰ１４において判断部４３は、動き検出部４２から例えば３秒間、動き検出信号ＭＳが供給されなかったか否かを判断し、否定結果が得られると、このことは、未だに動き検出部４２によりフレーム間の動きが検出されていることを表しており、再度ステップＳＰ１４へ戻る。
【０１０５】
これに対してステップＳＰ１４において肯定結果が得られると、このことは、動き検出部４２によりフレーム間の動きが３秒間検出されていないことを表しており、このとき判断部４３は、次のステップＳＰ１５へ移る。
【０１０６】
ステップＳＰ１５において判断部４３は、記録制御部４１へ終了トリガ信号ＴＧ２を送信し、次のステップＳＰ１６へ移って処理を終了する。
【０１０７】
記録制御部４１は、ステップＳＰ２１において、映像データＶＤ１１、静止画像データＰＤ及び音声データＡＤ１１を記憶部４７へ記録し始め、判断部４３から終了トリガ信号ＴＧ２を取得すると、ステップＳＰ２２へ移る。
【０１０８】
ステップＳＰ２２において記録制御部４１は、終了トリガ信号ＴＧ２を取得した時点で映像データＶＤ１１及び静止画像データＰＤの記録を終了すると共に、終了トリガ信号ＴＧ２を取得した時点から１秒後までの音声データＡＤ１１を記録する。
【０１０９】
このとき記録制御部４１は、映像データＶＤ１１及び音声データＡＤ１１を１つの映像音声ファイルＡＶとして記憶部４７に記録すると共に、静止画像データＰＤを当該映像音声ファイルＡＶに関連付けて記憶部４７に記録する。
【０１１０】
また記録制御部４１は、終了時刻データＴＳ２を時計部４６から取得すると、ステップＳＰ２１において自身のバッファメモリに一時的に記憶した開始時刻データＴＳ１、及び当該終了時刻データＴＳ２を記憶部４７へ映像音声ファイルＡＶと関連付けて記録し、次のステップＳＰ２３へ移って処理を終了する。
【０１１１】
（１−５）再生処理
次に、記憶部４７に記録された映像音声ファイルＡＶを再生する再生処理について詳しく説明する。
【０１１２】
制御部７は、テレビジョン受像機１がスタンバイ状態のとき、例えばリモコンの電源をオンにするための電源ボタンが押下操作されたことにより供給されるリモコン信号を、リモコン受光部４を介して受信すると、再生処理を実行する。
【０１１３】
制御部７は、再生処理を開始すると、スタンバイ状態のときに、記憶部４７に新たに記録された映像音声ファイルＡＶがあった場合、当該映像音声ファイルＡＶに関連付けられた静止画像データＰＤのうちのいずれか１つを当該記憶部４７から読み出す。
【０１１４】
そして制御部７は、図６に示すように、記憶部４７から読み出した静止画像データＰＤに対応するサムネイル画像ＳＧと、サムネイル画像ＳＧをユーザに対して目視確認させ易いように形取られた表示エリアＫＡとを生成し、サムネイル画像ＳＧ及び表示エリアＫＡを表示イメージデータＩＭ１として割合情報αと共にＯＳＤ表示生成部１３へ送信する。
【０１１５】
ＯＳＤ表示生成部１３は、制御部７から供給された表示イメージデータＩＭ１を割合情報αの透過度に従って加工し、所定の透過度でなる表示イメージデータＩＭ２を映像混合器１２へ送出する。
【０１１６】
映像混合器１２は、ディジタルテレビジョン放送受信部３０から映像スイッチ１１を介して供給される映像信号ＶＤ２に対して、ＯＳＤ表示生成部１３から供給される表示イメージデータＩＭ２を重畳し、その結果得られるテレビ画像ＴＶＧ１（図６）をＬＣＤ２に表示する。
【０１１７】
制御部７は、テレビ画像ＴＶＧ１がＬＣＤ２に表示されている状態で、例えばリモコンの再生ボタン（図示せず）が押下操作されたことを示すリモコン信号がリモコン受光部４を介して供給されると、例えば複数の映像音声ファイルＡＶに関連付けられた開始時刻データＴＳ１及び終了時刻データＴＳ２をそれぞれ記憶部４７から読み出す。
【０１１８】
そして制御部７は、図７に示すようなリスト表示画面ＬＧ１を生成し、ＯＳＤ表示生成部１３及び映像混合器１２を介してＬＣＤ２に表示する。
【０１１９】
このリスト表示画面ＬＧ１は、記憶部４７から読み出された複数の開始時刻データＴＳ１及び終了時刻データＴＳ２を基に、例えば開始時間と終了時間とからなる再生項目ＩＣ１〜ＩＣ５がリスト表示されると共に、当該再生項目ＩＣ１〜ＩＣ５のいずれかを選択させるためのカーソルＣＳが表示される。
【０１２０】
制御部７は、リモコンを介してリスト表示画面ＬＧ１に表示した再生項目ＩＣ１〜ＩＣ５のうち例えば再生項目ＩＣ１がユーザによって選択されると、当該選択された再生項目ＩＣ１に対応する映像音声ファイルＡＶを再生部５０の再生制御部５１に再生させる。
【０１２１】
再生制御部５１は、リモコンを介してユーザに選択された再生項目ＩＣ１に対応する映像音声ファイルＡＶを記憶部４７から読み出すと、当該映像音声ファイルＡＶの映像データＶＤ１１を記録映像デコード部５２へ送出すると共に、当該映像音声ファイルＡＶの音声データＡＤ１１を記録音声デコード部５３へ送出する。
【０１２２】
記録映像デコード部５２は、再生制御部５１から供給される映像データＶＤ１１を復号し、映像スイッチ１１及び映像混合器１２を介して記録映像としてＬＣＤ２に表示する。
【０１２３】
一方、記録音声デコード部５３は、再生制御部５１から供給される音声データＡＤ１１を復号し、音声スイッチ１４を介して記録音声としてスピーカ３から出力する。
【０１２４】
（１−６）再生処理手順
次に、記憶部４７に記録された映像音声ファイルＡＶを再生する再生処理手順について図８のフローチャートを用いて詳しく説明する。
【０１２５】
実際上、制御部７は、テレビジョン受像機１がスタンバイ状態で、例えばリモコンの電源をオンにするための電源ボタンが押下操作されたことにより供給されるリモコン信号を受信すると、ステップＳＰ３１へ移る。
【０１２６】
ステップＳＰ３１において制御部７は、スタンバイ状態のときに、記憶部４７に新たに記録された映像音声ファイルＡＶがあるか否かを判断し、否定結果が得られると、このことは、スタンバイ状態時に記憶部４７に新たに記録された映像音声ファイルＡＶが存在しないことを表しており、ステップＳＰ３６へ移って処理を終了する。
【０１２７】
これに対してステップＳＰ３１において肯定結果が得られると、このことは、スタンバイ状態時に記憶部４７に新たに記録された映像音声ファイルＡＶが存在していることを表しており、このとき制御部７は、次のステップＳＰ３２へ移る。
【０１２８】
ステップＳＰ３２において制御部７は、記憶部４７に記録された複数の映像音声ファイルＡＶにそれぞれ対応付けられた複数の静止画像データＰＤのうちのいずれかを読み出す。そして制御部７は、静止画像データＰＤに対応するサムネイル画像ＳＧを生成し、表示エリアＫＡに対してサムネイル画像ＳＧが重ねられたテレビ画像ＴＶＧ１（図６）をＬＣＤ２に表示し、次のステップＳＰ３３へ移る。
【０１２９】
ステップＳＰ３３において制御部７は、テレビ画像ＴＶＧ１をＬＣＤ２に表示している状態で、例えばリモコンを介して再生ボタンが押下されたことを示すリモコン信号が供給されたか否かを判断する。ここで否定結果が得られると、このことは、ユーザが記憶部４７に記録された映像音声ファイルＡＶの再生を所望していないことを表しており、ステップＳＰ３６へ移って処理を終了する。
【０１３０】
これに対してステップＳＰ３３において肯定結果が得られると、このことは、記憶部４７に記録された映像音声ファイルＡＶの再生をユーザが所望していることを表しており、このとき制御部７は、次のステップＳＰ３４へ移る。
【０１３１】
ステップＳＰ３４において制御部７は、記憶部４７から読み出した開始時刻データＴＳ１及び終了時刻データＴＳ２を基に、開始時間と終了時間とからなる再生項目ＩＣ１〜ＩＣ５をリスト表示するリスト表示画面ＬＧ１（図７）を生成し、当該リスト表示画面ＬＧ１をＬＣＤ２に表示し、次のステップＳＰ３５へ移る。
【０１３２】
ステップＳＰ３５において制御部７は、リモコンを介してリスト表示画面ＬＧ１に表示した再生項目ＩＣ１〜ＩＣ５のうちの例えば再生項目ＩＣ１がユーザによって選択されると、当該選択された再生項目ＩＣ１に対応する映像音声ファイルＡＶを再生部５０の再生制御部５１に再生させ、次のステップＳＰ３６へ移って処理を終了する。
【０１３３】
具体的に再生制御部５１は、リモコンを介してユーザに選択された再生項目ＩＣ１に対応する映像音声ファイルＡＶを記憶部４７から読み出すと、当該映像音声ファイルＡＶの映像データＶＤ１１を記録映像デコード部５２、映像スイッチ１１及び映像混合器１２を介して記録映像としてＬＣＤ２に表示する。
【０１３４】
また再生制御部５１は、映像音声ファイルＡＶの音声データＡＤ１１を記録音声デコード部５３及び音声スイッチ１４を介して記録音声としてスピーカ３から出力する。
【０１３５】
（１−７）第１の実施の形態における動作及び効果
以上の構成において、第１の実施の形態におけるテレビジョン受像機１は、電源がオフされたスタンバイ状態であるとき、カメラ５によりフレーム画像データＶ１を連続して取得し、今回及び前回取得したフレーム画像データＶ１のフレーム間差分を求める。
【０１３６】
テレビジョン受像機１は、フレーム間差分によりフレーム間の動きを検出した場合、カメラ５によって撮像されたフレーム画像データＶ１、及びマイク６によって集音された音声信号Ａ１をそれぞれ圧縮符号化し、その結果得られる映像データＶＤ１１及び音声データＡＤ１１を映像音声ファイルＡＶとして記憶部４７に記録するようにした。
【０１３７】
従ってテレビジョン受像機１は、フレーム間の動きを検出している間、自動的に映像データＶＤ１１及び音声データＡＤ１１を記憶部４７に記録することができる。
【０１３８】
これによりテレビジョン受像機１は、カメラ５が部屋全体を撮像できる位置に設置されていれば、例えば不審者が当該部屋に侵入してきた場合、当該不審者が侵入した時点から、当該部屋の様子を自動的に映像及び音声で記録しておくことができる。
【０１３９】
またテレビジョン受像機１は、カメラ５及びマイク６が内部に設けられており、従来のようにケーブルを介して接続される必要がないため、簡易な構成で、かつユーザに煩雑な作業を強いることなく、カメラ５及びマイク６によって映像データＶＤ１１及び音声データＡＤ１１を記録することができる。
【０１４０】
さらにテレビジョン受像機１は、カメラ５によって撮像されたフレーム画像データＶ１が圧縮符号化された映像データＶＤ１１として記録すると共に、所定フレーム間隔のフレーム画像データＶ１を静止画像データＰＤとして記録するようにした。
【０１４１】
これによりテレビジョン受像機１は、映像データＶＤ１１については圧縮符号化することによりデータサイズを小さくし、静止画像データＰＤについては圧縮符号化することなく、高精細のまま記録することができる。
【０１４２】
またテレビジョン受像機１は、フレーム間の動きを検出する例えば１秒前から、動きを検出しなくなった１秒後までの音声データＡＤ１１を記憶部４７に記録することにより、フレーム間の動きを検出する前後の様子を音声でユーザに確認させることができる。
【０１４３】
またテレビジョン受像機１は、充電器６３及びバッテリ６４が設けられているので、停電時やＡＣプラグ６１がコンセントから外された時においても、リモコン受光部４、制御部７、記録部４０がバッテリ６４からの電力供給を受けて動作することにより記録処理を実行することができる。
【０１４４】
さらにテレビジョン受像機１は、スタンバイ状態のときに記憶部４７に新たに映像音声ファイルＡＶが記録されていた場合、当該映像音声ファイルＡＶに関連付けられた静止画像データＰＤに基づくサムネイル画像ＳＧが重ねられたテレビ画像ＴＶＧ１を電源オン時にＬＣＤ２に表示するようにした。
【０１４５】
これによりテレビジョン受像機１は、スタンバイ状態時に記憶部４７に新たに映像音声ファイルＡＶが記録されたことをユーザに通知することができる。
【０１４６】
以上の構成によれば、テレビジョン受像機１は、その内部にカメラ５及びマイク６が設けられており、カメラにより撮像されたフレーム画像データＶ１から動きを検出した場合、カメラ５によって撮像されたフレーム画像データＶ１に基づく映像データＶＤ１１、及びマイクによって集音された音声信号Ａ１に基づく音声データＡＤ１１を記録する。これによりテレビジョン受像機１は、簡易な構成でかつユーザに煩雑な作業を強いることなく、自動的に映像データＶＤ１１及び音声データＡＤ１１を記録することができる。
【０１４７】
（２）第２の実施の形態
（２−１）テレビジョン受像機の全体構成
図１に示したように、本発明の第２の実施の形態におけるテレビジョン受像機１００は、第１の実施の形態におけるテレビジョン受信機１と基本的には同じ全体構成であり、便宜上その説明を省略する。
【０１４８】
（２−２）テレビジョン受像機の回路構成
図２との対応部分に同一符号を付した図９に示すように、テレビジョン受像機１００においても、ＣＰＵ構成でなる制御部７が全体を統括制御するようになされている。
【０１４９】
このテレビジョン受像機１００においても、ディジタルテレビジョン放送部３０により通常のテレビジョン放送の受信表示処理と、第１の実施の形態におけるテレビジョン受像機１によるテレビジョン放送の受信表示処理とが同じであるため、便宜上その説明を省略する。
【０１５０】
テレビジョン受像機１００では、第１の実施の形態における監視ユニット２０の記録部４０に設けられた動き検出部４２に代えて、監視ユニット１２０の記録部１４０に顔検出部１４２が設けられている。
【０１５１】
記録部１４０のカメラ５は、例えば横幅１９２０画素及び縦幅１０８０画素の解像度により１秒間当たり３０フレームで撮像するようになされており、その結果連続して得られるフレーム画像データＶ１を顔検出部１４２及び映像エンコード部４４へ送出する。
【０１５２】
記録部１４０の顔検出部１４２は、カメラ５から供給されるフレーム画像データＶ１から所定の顔検出処理を施すことにより、当該フレーム画像データＶ１に表示された被写体の顔を検出する。そして顔検出部１４２は、フレーム画像データＶ１から被写体の顔を検出した場合、顔検出信号ＦＳを判断部１４３へ送出する。
【０１５３】
判断部１４３は、顔検出部１４２から供給される顔検出信号ＦＳに基づいて、開始トリガ信号ＴＧ１及び終了トリガ信号ＴＧ２を記録制御部４１へ送出する。
【０１５４】
以下、第１の実施の形態と同様に、映像エンコード部４４は、カメラ５から供給された映像信号Ｖ１をＭＰＥＧ２方式で例えば横幅６４０画素及び縦幅４８０画素の解像度に圧縮符号化し、その結果得られる映像データＶＤ１１を記録制御部４１へ送出する。
【０１５５】
またマイク６は、周囲の音声を集音することにより得られた音声信号Ａ１を音声エンコード部４５へ送出する。
【０１５６】
音声エンコード部４５は、マイク６から供給された音声信号Ａ１を例えば４８［ｋＨｚ］のサンプリングレートでかつ１２８［ｋｂｐｓ］のビットレートでなるＭＰ２方式に圧縮符号化し、その結果得られる音声データＡＤ１１を記録制御部４１へ送出する。
【０１５７】
時計部４６は、例えばユーザによる初期設定時にリモコンを介して入力された時刻を基に時間をカウントしており、現在の時刻を示す時刻データＴＳを記録制御部４１へ送出する。
【０１５８】
記録制御部４１は、判断部１４３から開始トリガ信号ＴＧ１を受信すると、映像エンコード部４４から供給される映像データＶＤ１１と、音声エンコード部４５から供給される音声データＡＤ１１とを例えば不揮発性メモリでなる記憶部４７へ記録し始める。
【０１５９】
そして記録制御部４１は、判断部４３から終了トリガ信号ＴＧ２を受信すると、記憶部４７に対する映像データＶＤ１１及び音声データＡＤ１１の記憶部４７へ記録を終了する。
【０１６０】
このとき記録制御部４１は、映像データＶＤ１１及び音声データＡＤ１１を映像音声ファイルＡＶとして記憶部４７へ記録する。
【０１６１】
また記録制御部４１は、映像エンコード部４４から圧縮符号化前のフレーム画像データＶ１を取得し、当該フレーム画像データＶ１を静止画像データＰＤとして映像音声ファイルＡＶに関連付けて記憶部４７に記録し得るようになされている。
【０１６２】
さらに記録制御部４１は、開始トリガ信号ＴＧ１を受信した時点の時刻が示された開始時刻データＴＳ１、及び終了トリガ信号ＴＧ２を受信した時点の時刻が示された終了時刻データＴＳ２を時計部４６から取得するようになされている。
【０１６３】
そして記録制御部４１は、時計部４６から取得した開始時刻データＴＳ１及び終了時刻データＴＳ２を映像音声ファイルＡＶに関連付けて記憶部４７へ記録する。
【０１６４】
ここで記録制御部４１は、音声データＡＤ１１及び時刻データＴＳ等を一時的に記憶しておくためのバッファメモリを有している。このため、記録制御部４１は、例えば判断部４３から開始トリガ信号ＴＧ１を受信すると、当該開始トリガ信号ＴＧ１を受信する例えば１秒前の映像データＶＤ１１及び音声データＡＤ１１から記憶部４７に対して記録し得るようになされている。
【０１６５】
またテレビジョン受像機１００においても、再生部５０による再生処理と、第１の実施の形態におけるテレビジョン受像機１による再生処理とが同じであるため、便宜上その説明を省略する。
【０１６６】
さらにテレビジョン受像機１００は、第１の実施の形態におけるテレビジョン受像機１と同様に、ＡＣプラグ６１、ＡＣ−ＤＣ変換部６２、充電器６３、バッテリ６４及び電源スイッチ６５が設けられている。
【０１６７】
従って、リモコン受光部４、制御部７及び記録部１４０は、停電やＡＣプラグ６１がコンセントからはずされた時においても、バッテリ６４からの電力供給を受けて動作し得るようになされている。
【０１６８】
（２−３）顔検出を用いた記録処理
次に、制御部７による制御に従って主に記録部１４０により実行される顔検出を用いた記録処理について詳しく説明する。制御部７は、例えばリモコンにおける電源をスタンバイ状態にするための電源ボタンが押下操作されたことにより供給されるリモコン信号を、リモコン受光部４を介して受信すると、顔検出を用いた記録処理を実行する。
【０１６９】
制御部７は、撮像することにより得られるフレーム画像データＶ１をカメラ５によって取得させ、当該フレーム画像データＶ１を顔検出部１４２へ順に供給させる。
【０１７０】
顔検出部１４２は、フレーム画像データＶ１を取得する度に、当該フレーム画像データＶ１に対して顔検出処理を実行する。
【０１７１】
具体的には、図１０（Ａ）に示すように、顔検出部１４２は、カメラ５からｐ番目のフレーム画像データＶ１ｐを取得すると、今回取得した画像Ｇ１１でなる当該フレーム画像データＶ１ｐに対して顔検出処理を実行する。このとき顔検出部１４２は、フレーム画像データＶ１ｐから顔を検出することはない。
【０１７２】
次に顔検出部１４２は、ｐ＋１、・・・、ｑ−１番目のフレーム画像データＶ１ｐ＋１、・・・、Ｖ１ｑ−１を連続して取得すると、画像Ｇ１２でなるフレーム画像データＶ１ｐ＋１、・・・、画像Ｇ１３でなるＶ１ｑ−１に対して順に顔検出処理を実行する。このとき顔検出部１４２は、フレーム画像データＶ１ｐ＋１、・・・、Ｖ１ｑ−１から顔を検出することはない。
【０１７３】
続いて顔検出部１４２は、ｑ番目のフレーム画像データＶ１ｑを取得すると、画像Ｇ１４でなるフレーム画像データＶ１ｑに対して顔検出処理を実行する。このとき顔検出部１４２は、フレーム画像データＶ１ｑから被写体ＯＢの顔を検出し、顔検出信号ＦＳを判断部１４３へ送出する。
【０１７４】
さらに顔検出部１４２は、ｑ＋１、・・・、ｒ−１及びｒ番目のフレーム画像データＶ１ｑ＋１、・・・、Ｖ１ｒ−１及びＶ１ｒを順に取得すると、フレーム画像データＶ１ｑ＋１、・・・、Ｖ１ｒ−１及びＶ１ｒに対して顔検出処理を順次実行することにより被写体ＯＢの顔を検出し、顔検出信号ＦＳを判断部４３へ送出する。因みに、フレーム画像データＶ１ｒは画像Ｇ１５でなり、フレーム画像データＶ１ｑからフレーム画像データＶ１ｒまでは、画像Ｇ１４から画像Ｇ１５へと連続的に変化しているものとする。
【０１７５】
以下、同様にして、顔検出部１４２は、ｒ＋１、・・・、ｓ−１及びｓ番目のフレーム画像データＶ１ｒ＋１、・・・、Ｖ１ｓ−１及びＶ１ｓを順に取得すると、フレーム画像データＶ１Ｖ１ｒ＋１、・・・、Ｖ１ｓ−１及びＶ１ｓに対して顔検出処理を順次実行することにより被写体ＯＢの顔を検出し、顔検出信号ＦＳを判断部４３へ送出する。
【０１７６】
顔検出部１４２は、ｓ＋１、・・・、ｔ−１番目のフレーム画像データＶ１ｓ＋１、・・・、Ｖ１ｔ−１を順に取得すると、フレーム画像データＶ１ｓ＋１、・・・、Ｖ１ｔ−１に対して顔検出処理を順次実行することにより被写体ＯＢの顔を検出し、顔検出信号ＦＳを判断部１４３へ送出する。
【０１７７】
続いて顔検出部４２は、ｔ、ｔ＋１、・・・、ｔ＋８９、・・・番目のフレーム画像データＶ１ｔ、Ｖ１ｔ＋１、・・・、Ｖ１ｔ＋８９、・・・を順に取得すると、フレーム画像データＶ１ｔ、Ｖ１ｔ＋１、・・・、Ｖ１ｕ・・・に対して顔検出処理を順次実行する。このとき顔検出部１４２は、フレーム画像データＶ１ｔ、Ｖ１ｔ＋１、・・・、Ｖ１ｔ＋８９、・・・から被写体ＯＢの顔を検出することはなく、従って顔検出信号ＦＳを判断部１４３へ出力することはない。
【０１７８】
因みに、フレーム画像データＶ１ｓ、Ｖ１ｔ及びＶ１ｔ＋８９は、それぞれ画像Ｇ１６、Ｇ１７及びＧ１８でなる。そしてフレーム画像データＶ１ｐからフレーム画像データＶ１ｔ＋８９までは、画像Ｇ１１から画像Ｇ１９へと連続的に変化しているものとする。
【０１７９】
判断部１４３は、図１０（Ｂ）に示すように、顔検出部１４２から顔検出信号ＦＳを取得すると、カメラ５により取得したフレーム画像データＶ１から被写体ＯＢの顔を検出したと判断して、開始トリガ信号ＴＧ１を記録制御部４１へ送出する。
【０１８０】
そして判断部１４３は、開始トリガ信号ＴＧ１を記録制御部４１へ送出した後、顔検出部１４２から顔検出信号ＦＳが供給されなかった場合、カメラ５により取得したフレーム画像データＶ１から被写体ＯＢの顔が検出されなかったと判断する。
【０１８１】
その後、判断部１４３は、顔検出部１４２から例えば３秒間、顔検出信号ＦＳが供給されなかった場合、カメラ５により取得したフレーム画像データＶ１から被写体ＯＢの顔が検出されなくなったと判断して、終了トリガ信号ＴＧ２を記録制御部４１へ送出する。
【０１８２】
記録制御部４１は、図１０（Ｃ）に示すように、判断部１４３から開始トリガ信号ＴＧ１を受信したタイミングで、映像エンコード部４４から供給される映像データＶＤ１１を記憶部４７へ記録し始める。
【０１８３】
そして記録制御部４１は、判断部１４３から終了トリガ信号ＴＧ２を受信したタイミングで、記憶部４７に対する映像エンコード部４４から供給される映像データＶＤ１１の記録を終了する。
【０１８４】
従って記録制御部４１は、画像Ｇ１４でなるフレーム画像データＶ１ｑから画像Ｇ１９でなるフレーム画像データＶ１ｔ＋８９までが映像エンコード部４４により圧縮符号化された映像データＶＤ１１を記憶部４７に記録することとなる。
【０１８５】
また記録制御部４１は、図１０（Ｄ）に示すように、例えば映像エンコード部４４から圧縮符号化前のフレーム画像データＶ１ｑからフレーム画像データＶ１ｔ−１までを取得し、当該フレーム画像データＶ１ｑからフレーム画像データＶ１ｔ−１までを静止画像データＰＤｑ、・・・、ＰＤｔ−１として記憶部４７に記録する。
【０１８６】
さらに記録制御部４１は、図１０（Ｅ）に示すように、判断部１４３から開始トリガ信号ＴＧ１を受信すると、バッファメモリに一時的に記憶してある当該開始トリガ信号ＴＧ１を受信する１秒前の音声データＡＤ１１から記憶部４７に対し記録し始める。
【０１８７】
そして記録制御部４１は、判断部１４３から終了トリガ信号ＴＧ２を受信すると、当該開始トリガ信号ＴＧ２を受信してから1秒後までの音声データＡＤ１１を記憶部４７に対して記録し、当該音声データＡＤ１１の記録を終了する。
【０１８８】
さらに記録制御部４１は、開始トリガ信号ＴＧ１を受信したタイミングで開始時刻データＴＳ１を時計部４６から取得し、終了トリガ信号ＴＧ２を受信したタイミングで終了時刻データＴＳ２を時計部４６から取得し、開始時刻データＴＳ１及び終了時刻データＴＳ２を記憶部４７へ記録する。
【０１８９】
このとき記録制御部４１は、映像データＶＤ１１と音声データＡＤ１１とを１つの映像音声ファイルＡＶとして記憶部４７に記録し、静止画像データＰＤ、開始時刻データＴＳ１及び終了時刻データＴＳ２を当該映像音声ファイルＡＶに関連付ける。
【０１９０】
（２−４）顔検出を用いた記録処理手順
次に、顔検出をトリガとして、カメラ５により撮像された映像及びマイク６により集音された音声を記憶部４７に記録する際の顔検出を用いた記録処理手順について図１１のシーケンスチャートを用いて詳しく説明する。
【０１９１】
すなわち顔検出部１４２は、ステップＳＰ４１において、カメラ５からフレーム画像データＶ１を取得し、次のステップＳＰ４２へ移り、当該フレーム画像データＶ１に対して顔検出処理を実行し、次のステップＳＰ４３へ移る。
【０１９２】
ステップＳＰ４３において顔検出部１４２は、ステップＳＰ４２において取得したフレーム画像データＶ１から顔を検出したか否かを判断し、肯定結果が得られると、このことはフレーム画像データＶ１から顔を検出したことを表しており、次のステップＳＰ４４へ移る。
【０１９３】
ステップＳＰ４４において顔検出部１４２は、判断部１４３へ顔検出信号ＦＳを送信し、次のステップＳＰ４５へ移る。
【０１９４】
これに対してステップＳＰ４３において否定結果が得られると、このことはフレーム画像データＶ１に対して顔検出処理を実行した結果、フレーム画像データＶ１から顔を検出していないことを表しており、このとき顔検出部１４２は、ステップＳＰ４５へ移る。
【０１９５】
ステップＳＰ４５において顔検出部１４２は、次のフレーム画像データＶ１がカメラ５から供給されたか否かを判断し、肯定結果が得られると、ステップＳＰ４１へ戻るのに対し、否定結果が得られると、次のステップＳＰ４６へ移って処理を終了する。
【０１９６】
このように顔検出部１４２は、カメラ５からフレーム画像データＶ１が供給される度にステップＳＰ４１からステップＳＰ４５までを繰り返し行うようになされている。
【０１９７】
一方、判断部１４３は、ステップＳＰ５１において、顔検出部１４２から顔検出信号ＦＳを受信し、次のステップＳＰ５２へ移る。ここで判断部１４３は、顔検出を用いた記録処理が実行されている間、顔検出部１４２から顔検出信号ＦＳが送信される度に、常に顔検出信号ＦＳを受信するようになされている。
【０１９８】
ステップＳＰ５２において判断部１４３は、記録制御部４１へ開始トリガ信号ＴＧ１を送信する。
【０１９９】
記録制御部４１は、判断部１４３から開始トリガ信号ＴＧ１が供給されるとステップＳＰ６１へ移り、カメラ５により撮像されたフレーム画像データＶ１を映像エンコード部４４を介して映像データＶＤ１１及び静止画像データＰＤとして取得し、当該映像データＶＤ１１及び静止画像データＰＤを記憶部４７へ記録し始める。
【０２００】
また記録制御部４１は、マイク６により集音された音声信号Ａ１を音声エンコード部４５を介して音声データＡＤ１１として取得し、予め自身のバッファメモリに一時的に記録した例えば開始トリガ信号ＴＧ１を受信する１秒前の音声データＡＤ１１から記憶部４７へ記録し始める。
【０２０１】
さらに記録制御部４１は、開始時刻データＴＳ１を時計部４６から取得し、当該開始時刻データＴＳ１を自身のバッファメモリに一時的に記憶する。
【０２０２】
一方、判断部１４３は、ステップＳＰ５２において開始トリガ信号ＴＧ１を記録制御部４１へ送信すると、ステップＳＰ５２からステップＳＰ５３へ移る。ステップＳＰ５３において判断部１４３は、顔検出部１４２から例えば３秒間、顔検出信号ＦＳが供給されなかったか否かを判断し、否定結果が得られると、このことは、未だに顔検出部１４２によりフレーム画像データＶ１から顔を検出していることを表しており、再度ステップＳＰ５３へ戻る。
【０２０３】
これに対してステップＳＰ５３において肯定結果が得られると、このことは、顔検出部１４２により３秒間、フレーム画像データＶ１から顔が検出されていないことを表しており、このとき、判断部１４３は、次のステップＳＰ５４へ移る。
【０２０４】
ステップＳＰ５４において判断部１４３は、記録制御部４１へ終了トリガ信号ＴＧ２を送信し、次のステップＳＰ５５へ移って処理を終了する。
【０２０５】
記録制御部４１は、ステップＳＰ６１において、映像データＶＤ１１、静止画像データＰＤ及び音声データＡＤ１１を記憶部４７へ記録し始め、判断部１４３から終了トリガ信号ＴＧ２を取得すると、ステップＳＰ６２へ移る。
【０２０６】
ステップＳＰ６２において記録制御部４１は、終了トリガ信号ＴＧ２を取得した時点で映像データＶＤ１１及び静止画像データＰＤの記録を終了すると共に、終了トリガ信号ＴＧ２を取得した時点から１秒後までの音声データＡＤ１１の記録を終了する。
【０２０７】
このとき記録制御部４１は、映像データＶＤ１１及び音声データＡＤ１１を１つの映像音声ファイルＡＶとして記憶部４７に記録すると共に、静止画像データＰＤを当該映像音声ファイルＡＶに関連付けて記憶部４７に記録する。
【０２０８】
また記録制御部４１は、終了時刻データＴＳ２を時計部４６から取得すると、ステップＳＰ６１においてバッファメモリに一時的に記憶した開始時刻データＴＳ１、及び当該終了時刻データＴＳ２を記憶部４７へ映像音声ファイルＡＶに関連付けて記録し、次のステップＳＰ６３へ移って処理を終了する。
【０２０９】
（２−５）第２の実施の形態における動作及び効果
以上の構成において、第２の実施の形態におけるテレビジョン受像機１００は、電源がオフされたスタンバイ状態であるとき、カメラ５によりフレーム画像データＶ１を連続して取得し、当該取得したフレーム画像データＶ１に対して顔検出処理を実行する。
【０２１０】
テレビジョン受像機１００は、フレーム画像データＶ１から顔を検出した場合、カメラ５によって撮像されたフレーム画像データＶ１、及びマイク６によって集音された音声信号Ａ１をそれぞれ圧縮符号化し、その結果得られる映像データＶＤ１１及び音声データＡＤ１１を記憶部４７に記録するようにした。
【０２１１】
従ってテレビジョン受像機１００は、フレーム画像データＶ１から顔を検出している間、自動的に映像データＶＤ１１及び音声データＡＤ１１を記憶部４７に記録することができる。
【０２１２】
これによりテレビジョン受像機１００は、カメラ５が部屋全体を撮像できる位置に設置されていれば、例えば不審者が当該部屋に侵入してきた場合、当該不審者を侵入した時点から、当該部屋の様子を自動的に映像及び音声で記録しておくことができる。
【０２１３】
またテレビジョン装置１００は、カメラ５及びマイク６が内部に設けられており、従来のようにケーブルを介して接続される必要がないため、簡易な構成で、かつユーザに煩雑な作業を強いることなく、カメラ５及びマイク６によって映像データＶＤ１１及び音声データＡＤ１１を記録することができる。
【０２１４】
さらにテレビジョン受像機１００は、カメラ５によって撮像されたフレーム画像データＶ１が圧縮符号化された映像データＶＤ１１として記憶部４７に記録すると共に、当該レーム画像データＶ１を静止画像データＰＤとして記録するようにした。
【０２１５】
これによりテレビジョン受像機１は、映像データＶＤ１１については圧縮符号化することによりデータサイズを小さくし、静止画像データＰＤについては圧縮符号化することなく、高精細のまま記録することができる。
【０２１６】
またテレビジョン受像機１００は、フレーム画像データＶ１から顔を検出する例えば１秒前から、顔を検出しなくなった１秒後までの音声データＡＤ１１を記録することにより、動きを検出する前後の様子を音声でユーザに確認させることができる。
【０２１７】
以上の構成によれば、テレビジョン受像機１００は、その内部にカメラ５及びマイク６が設けられており、カメラにより撮像された映像から顔を検出した場合、カメラ５によって撮像されたフレーム画像データＶ１に基づく映像データＶＤ１１、及びマイクによって集音された音声信号Ａ１に基づく音声データＡＤ１１を記録する。これによりテレビジョン受像機１は、簡易な構成でかつユーザに煩雑な作業を強いることなく、自動的に映像データＶＤ１１及び音声データＡＤ１１を記録することができる。
【０２１８】
（３）他の実施の形態
なお上述した第１の実施の形態及び第２の実施の形態においては、テレビジョン受像機１及び１００の内部に設けられた記憶部４７に対して映像音声ファイルＡＶ等を記録するようにした場合について述べた。
【０２１９】
しかしながら本発明はこれに限らず、例えば図２との対応部分に同一符号を付した図１２に示すように、テレビジョン受像機２００は、その監視ユニット２００における記録部２４０に記憶部インターフェイス２４７が設けられている。
【０２２０】
そしてテレビジョン受像機２００は、当該記憶部インターフェイス２４７に外部の例えば不揮発性メモリ、ハードディスクドライブ等でなる外部記憶部２０１が接続され、当該外部記憶部２０１に対して映像音声ファイルＡＶ等を記録するようにしても良い。
【０２２１】
また上述した第１の実施の形態及び第２の実施の形態においては、テレビジョン受像機１及び１００に動き検出部４２及び顔検出部１４２がそれぞれ設けられているようにした場合について述べた。
【０２２２】
しかしながら本発明はこれに限らず、図２及び図９との対応部分に同一符号を付した図１３に示すように、テレビジョン受像機３００は、監視ユニット３２０における記録部３４０に動き検出部４２及び顔検出部１４２を設けるようにしても良い。
【０２２３】
この場合、テレビジョン受像機３００は、動き検出処理又は顔検出処理のどちらを実行するか予めユーザに選択させ、当該ユーザによって選択された動き検出処理又は顔検出処理に用いた記録処理を実行すればよい。
【０２２４】
さらに上述した第１の実施の形態及び第２の実施の形態においては、テレビジョン受像機１及び１００に再生部５０が設けられ、当該再生部５０に記録映像デコード部５２及び記録音声デコード部５３がそれぞれ設けられているようにした場合について述べた。
【０２２５】
しかしながら本発明はこれに限らず、例えば図２との対応部分に同一符号を付した図１４に示すように、テレビジョン受像機４００は、記録映像デコード部５２及び記録音声デコード部５３が監視ユニット４２０に設けないようにしても良い。
【０２２６】
この場合、テレビジョン受像機４００は、テレビユニット４１０におけるディジタルテレビジョン放送受信部４３０の多重分離部３４とテレビ映像デコード部３５及びテレビ音声デコード部３６との間にそれぞれ映像スイッチ４１１及び音声スイッチ４１４が設けられている。
【０２２７】
このテレビジョン受像機４００は、映像スイッチ４１１を切り替えることにより、記憶部４７に記録された映像音声ファイルＡＶの映像データＶＤ１１を映像スイッチ４１１を介してテレビ映像デコード部３５に供給し、当該テレビ映像デコード部３５により映像データＶＤ１１を復号して記録映像としてＬＣＤ２に表示する。
【０２２８】
またテレビジョン受像機４００は、音声スイッチ４１４を切り替えることにより、記憶部４７に記録された映像音声ファイルＡＶの音声データＡＤ１１を音声スイッチ４１４を介してテレビ音声デコード部３６に供給し、当該テレビ音声デコード部３６により音声データＡＤ１１を復号して記録音声としてスピーカ３から出力する。
【０２２９】
さらに上述した第１の実施の形態及び第２の実施の形態においては、記憶部４７に記録された映像音声ファイルＡＶを選択させる際、開始時刻データＴＳ１及び終了時刻データＴＳ２を基に、開始時間と終了時間とからなる再生項目ＩＣ１〜ＩＣ５がリスト表示されたリスト表示画面ＬＧ１を生成してＬＣＤ２に表示するようにした。
【０２３０】
しかしながら本発明はこれに限らず、テレビジョン受像機１及び１００は、記憶部４７に記録された映像音声ファイルＡＶを選択させる際、開始時刻データＴＳ１及び終了時刻データＴＳ２に加えて静止画像データＰＤを取得する。そしてテレビジョン受像機１及び１００は、図１５に示すように、開始時間及び終了時間と、当該静止画像データＰＤに対応するサムネイル画像ＳＧとからなる再生項目ＩＣ１１〜ＩＣ１３がリスト表示されたリスト表示画面ＬＧ２を生成してＬＣＤ２に表示するようにしても良い。
【０２３１】
さらに上述した第１の実施の形態及び第２の実施の形態においては、リモコンにおける電源をスタンバイ状態にするための電源ボタンが押下操作されたことにより供給されるリモコン信号をリモコン受光部４を介して受信すると、動き検出を用いた記録処理及び顔検出を用いた記録処理を実行するようにした場合について述べた。
【０２３２】
しかしながら本発明はこれに限らず、リモコンに記録開始ボタン（図示せず）が設けられており、制御部７は、当該記録開始ボタンが押下操作されたことにより供給されるリモコン信号をリモコン受光部４を介して受信すると、動き検出を用いた記録処理及び顔検出を用いた記録処理を実行するようにしても良い。
【０２３３】
さらに上述した第１の実施の形態及び第２の実施の形態においては、映像音声ファイルＡＶ、静止画像データＰＤ、開始時刻データＴＳ１及び終了時刻データＴＳ２を記憶部４７に記録するようにした場合について述べた。
【０２３４】
しかしながら本発明はこれに限らず、制御部７は、所定の通信手段を用いて外部のサーバ等に接続し、当該サーバに映像音声ファイルＡＶ、静止画像データＰＤ、開始時刻データＴＳ１及び終了時刻データＴＳ２を送信することによりサーバに記録するようにしても良い。
【０２３５】
この場合、テレビジョン受像機１及び１００では、例えば侵入者により記憶部４７が破壊された場合であっても、映像音声ファイルＡＶ、静止画像データＰＤ、開始時刻データＴＳ１及び終了時刻データＴＳ２を確実に保存しておくことができる。
【０２３６】
さらに上述した実施の形態においては、制御部７が、予め自身に格納されているアプリケーションプログラムに従い、動き検出部４２、判断部４３及び記録制御部４１を制御することによって、上述した動き検出を用いた記録処理手順を行うようにした場合について述べた。しかしながら本発明はこれに限らず、記憶媒体からインストールしたアプリケーションプログラムや、インターネットからダウンロードしたアプリケーションプログラム、その他種々のルートによってインストールしたアプリケーションプログラムに従って上述した動き検出を用いた記録処理手順を行うようにしても良い。
【０２３７】
さらに上述した実施の形態においては、制御部７が、予め自身に格納されているアプリケーションプログラムに従い、顔検出部１４２、判断部１４３及び記録制御部４１を制御することによって、上述した顔検出を用いた記録処理手順を行うようにした場合について述べた。しかしながら本発明はこれに限らず、記憶媒体からインストールしたアプリケーションプログラムや、インターネットからダウンロードしたアプリケーションプログラム、その他種々のルートによってインストールしたアプリケーションプログラムに従って上述した顔検出を用いた記録処理手順を行うようにしても良い。
【０２３８】
さらに上述した実施の形態においては、カメラとしてカメラ５、マイクとしてマイク６、検出部として動き検出部４２又は顔検出部１４２、記録部として記憶部４７によって本発明のテレビジョン受像機としてのテレビジョン受像機１及び１００を構成するようにした場合について述べた。しかしながら本発明はこれに限らず、この他種々の構成でなるカメラ、マイク、検出部、記録部によってテレビジョン受像機を構成するようにしても良い。
【産業上の利用可能性】
【０２３９】
本発明のテレビジョン受像機は、例えばＬＣＤ以外にもプラズマディスプレイ、有機ＥＬディスプレイ、ブラウン管ディスプレイ等のその他種々に実装されたテレビジョン受像機に適用することができる。
【図面の簡単な説明】
【０２４０】
【図１】第１の実施の形態及び第２の実施の形態におけるテレビジョン受像機の外観構成を示す略線図である。
【図２】第１の実施の形態におけるテレビジョン受像機の回路構成を示す略線図である。
【図３】第１の実施の形態におけるテレビジョン受像機の電源構成を示す略線図である。
【図４】動き検出による記録開始及び記録終了のタイミングチャートを示す略線図である。
【図５】動き検出を用いた記録処理手順の説明に供するフローチャートである。
【図６】通知表示画面を示す略線図である。
【図７】リスト表示画面を示す略線図である。
【図８】再生処理手順の説明に供するフローチャートである。
【図９】第２の実施の形態におけるテレビジョン受像機の回路構成を示す略線図である。
【図１０】顔検出による記録開始及び記録終了のタイミングチャートを示す略線図である。
【図１１】顔検出を用いた記録処理手順の説明に供するフローチャートである。
【図１２】他の実施の形態におけるテレビジョン受像機の回路構成（１）を示す略線図である。
【図１３】他の実施の形態におけるテレビジョン受像機の回路構成（２）を示す略線図である。
【図１４】他の実施の形態におけるテレビジョン受像機の回路構成（３）を示す略線図である。
【図１５】他の実施の形態におけるリスト表示画面を示す略線図である。
【符号の説明】
【０２４１】
１、１００、２００、３００、４００……テレビジョン受像機、２……ＬＣＤ、３……スピーカ、４……リモコン受光部、５……カメラ、６……マイク、７……制御部、１０……テレビユニット、１１……映像スイッチ、１２……映像混合器、１３……ＯＳＤ表示生成部、１４……音声スイッチ、２０、２２０、３２０、４２０……監視ユニット、３０……ディジタルテレビジョン放送受信部、４０、１４０、２４０、３４０……記録部、４１……記録制御部、４２……動き検出部、４３……判断部、４４……映像エンコード部、４５……音声エンコード部、４６……時計部、４７……記憶部、５０……再生部、５１……再生制御部、５２……記録映像デコード部、５３……記録音声デコード部、６１……ＡＣプラグ、６２……ＡＣ−ＤＣ変換部、６３……充電器、６４……バッテリ、６５……電源スイッチ、２０１……外部記憶部、２４７……記憶部インターフェイス。
【図１】
2010074551.tif 000003
【図２】
2010074551.tif 000004
【図３】
2010074551.tif 000005
【図４】
2010074551.tif 000006
【図５】
2010074551.tif 000007
【図６】
2010074551.tif 000008
【図７】
2010074551.tif 000009
【図８】
2010074551.tif 000010
【図９】
2010074551.tif 000011
【図１０】
2010074551.tif 000012
【図１１】
2010074551.tif 000013
【図１２】
2010074551.tif 000014
【図１３】
2010074551.tif 000015
【図１４】
2010074551.tif 000016
【図１５】
2010074551.tif 000017